(57)【要約】      （修正有）【課題】鋼構築物の組み立て作業を簡素化し、労力費用を軽減させ、且つ、堅固な接合により安全性と利便性を高め、さらには、資材のコンパクト化を図り、運搬コストを軽減させ、又、安全性に優れた接合具を提供する。【解決手段】材質は主に鋼材とし、支柱・支脚は主に四角形鋼管等を使用する。支柱・支脚の側面には、事前に上下所要間隔おきにホゾ穴を削孔し加工しておき、支柱・支脚の両端のいずれかの方向から、内側に台形のホゾが付いているアダプターを通し、ホゾ部を支柱・支脚のホゾ穴に挿入し、仮クサビで仮固定する。ホゾ部の対面側の支柱とアダプターの隙間に、クサビを装着した縦桟・横桟・踏板・踏板等を打ち込み装着する。又、クサビ部の上部支柱にズレ止め用のロックボルトをねじ込み固定する。【選択図】図９
0003162694.tif 000002
【実用新案登録請求の範囲】
【請求項１】
本考案の材質は主に鋼材とし、支柱１・支脚１等は主に四角形鋼管等を使用する。支柱１・支脚１の側面には、事前に上下所要間隔おきにホゾ穴４を削孔し加工しておき、支柱１・支脚１の両端のいずれかの方向から、アダプター２・１５・１６・２１（内側に台形のホゾ３が付いている）を通し、ホゾ３を支柱１・支脚１のホゾ穴４に挿入し、仮クサビ（ゴム製）で仮固定する。ホゾ部３・４の対面側の、支柱１とアダプター２・１５・１６・２１の隙間（クサビスペース１７）に、クサビ５を装着した縦桟８・横桟９・踏板１０・棚板等を打ち込み装着することにより、ホゾ３がホゾ穴４に強く引き寄せられ、支柱１を軸にアダプター２・１５・１６・２１とクサビ５を装着した各部材が堅固に接合されるのである。又、地震時等の振動を想定し、アダプター２・１５・１６・２１とクサビ部５にズレが生じないように、クサビ部５の支柱１上部にズレ止め用のロックボルト１２をねじ込み固定する。「ホゾ穴接合方式」は、多種多様な構築物に使用可能であり、大小の構築物に拘わらず、その強度と支柱１・支脚１の形状寸法に対応した、各種アダプター２・１５・１６・２１を装着することにより広い範囲で活用可能なものである。又、支柱１・支脚１等の形状は、四角形に限らず、アダプター２・１５・１６・２１・クサビ部５・ホゾ部３・４の形状・寸法を変化させることにより、大小の円形及び多角形状の支柱１・支脚１にも対応可能な接合方式である。
【考案の詳細な説明】
【技術分野】
【０００１】  本考案は、組み立て棚・組み立て脚立・組み立て梯子・仮設足場・仮設防護柵・仮設ハウス・イベント会場の設営・仮設橋梁に至るまでの鋼製構築物等の接合を、「ホゾ穴式接合方式」を用いて組立作業を迅速・簡素化し、現場等における作業効率と安全性を高め、解体撤去時においても迅速な作業を可能とし、且つ、資材のコンパクト化を図り持ち運びの利便性を高め、労力費の削減と運搬コストの軽減をも可能とする技術である。
【背景技術】
【０００２】  従来から、仮設の鋼構築物等の組み立て接合においては、ネジ・ボルト・溶接等の接合方法が主流であり、組み立て作業及び解体撤去作業に手間がかかる場合が多々見られる。又、仮設足場・仮設防護柵等の単管を使用する構築物においては、自在クランプ等の接合金具を使用し、多数箇所をネジ止め固定するので作業手間がかかり、振動等によるネジの緩みでズレが生じる等の危険性は否めない。ネジ・ボルト・溶接等で接合される仮設構築物等は、組み立て・解体撤去作業に時間がかかり、資材のコンパクト化が容易では無い。
【先行技術文献】
【特許文献】
【０００３】
【特許文献１】  無し
【考案の概要】
【考案が解決しようとする課題】
【０００４】  本考案は、組み立て棚・組み立て脚立・組み立て梯子・仮設足場・仮設防護柵・仮設ハウス・イベント会場の設営・仮設橋梁にいたるまでの広範囲にわたり、鋼構築物の組み立て作業を簡素化し、労力費を軽減させ、且つ、堅固な接合により安全性と利便性を高め、さらには、資材のコンパクト化を図り、運搬コストを軽減させようとするものである。又、地震時の振動等を考慮し、天災に対応可能な安全性の高い構築物の接合を課題とする。
【課題を解決するための手段】
【０００５】  本考案の材質は主に鋼材とし、支柱１・支脚１等は主に四角形鋼管等を使用する。支柱１・支脚１の側面には、事前に上下所要間隔おきにホゾ穴４を削孔し加工しておき、支柱１・支脚１の両端のいずれかの方向から、アダプター２・１５・１６・２１（内側に台形のホゾ３が付いている）を通し、ホゾ３を支柱１・支脚１のホゾ穴４に挿入し、仮クサビ（ゴム製）で仮固定する。ホゾ部３・４の対面側の、支柱１とアダプター２・１５・１６・２１の隙間（クサビスペース１７）に、クサビ５を装着した縦桟８・横桟９・踏板１０・棚板等を打ち込み装着することにより、ホゾ３がホゾ穴４に強く引き寄せられ、支柱１を軸にアダプター２・１５・１６・２１とクサビ５を装着した各部材が堅固に接合されるのである。又、地震時等の振動を想定し、アダプター２・１５・１６・２１とクサビ部５にズレが生じないように、クサビ部５の支柱１上部にズレ止め用のロックボルト１２をねじ込み固定する。「ホゾ穴接合方式」は、多種多様な構築物に使用可能であり、大小の構築物に拘わらず、その強度と支柱１・支脚１の形状寸法に対応した、各種アダプター２・１５・１６・２１を装着することにより広い範囲で活用可能なものである。又、支柱１・支脚１等の形状は、四角形に限らず、アダプター２・１５・１６・２１・クサビ部５・ホゾ部３・４の形状・寸法を変化させることにより、大小の円形及び多角形状の支柱１・支脚１にも対応可能な接合方式である。
【考案の効果】
【０００６】  従来より、ネジ・ボルト・溶接等でしか接合されていなかった鋼構築物であったが本考案の、ほぞ穴接合方式により、組み立てに要する作業時間が大幅に短縮され、工事費のコスト削減ができる。又、資材のコンパクト化により、持ち運び等の利便性を向上させ、運搬コストを軽減させるものであり、軽量構築物から重量構築物に至るまで、多種多様な構築物にも適用が可能である。
【図面の簡単な説明】
【０００７】
【図１】ホゾ穴接合方式による（整理棚）本体の立体図である。
【図２】ホゾ穴接合方式による（整理棚）棚板の平面図である。
【図３】ホゾ穴接合方式による（整理棚）接合部の断面図である。
【図４】ホゾ穴接合方式による（整理棚）角部の接合平面図である。
【図５】ホゾ穴接合方式による（脚立）本体の側面図である。
【図６】ホゾ穴接合方式による（脚立）踏板接合部の平面図である。
【図７】ホゾ穴接合方式による（脚立）踏板接合部の断面図である。
【図８】ホゾ穴接合方式による（仮設足場）本体の立体図である。
【図９】ホゾ穴接合方式による（仮設足場）角部の接合の断面図である。
【図１０】ホゾ穴接合方式による（仮設足場）縦桟の接合平面図である。
【図１１】ホゾ穴接合方式による（仮設足場）角部アダプターの立体図である。
【図１２】ホゾ穴接合方式による（脚立）斜角部アダプターの立体図である。
【図１３】ホゾ穴接合方式による（仮設足場）横桟部アダプターの立体図である。
【図１４】ホゾ穴接合方式による（仮設足場）四角部の接合平面図である。
【図１５】ホゾ穴接合方式による（仮設足場）Ｔ字部の接合平面図である。
【考案を実施するための形態】
・
【実施例】
【０００８】  支柱１・支脚１の両端のいずれかの方向から、アダプター２・１５・１６・２１（内側に台形のホゾ３が付いている）を通し、ホゾ３を支柱・支脚のホゾ穴４に挿入し、仮クサビ（ゴム製）で仮固定する。ホゾ部３・４の対面側の、支柱１とアダプター２・１５・１６・２１の隙間（クサビスペース１７）に、クサビ５を装着した縦桟８・横桟９・踏板１０・棚板等を打ち込むことにより、ホゾ３がホゾ穴４に強く引き寄せられ、支柱１を軸にアダプター２・１５・１６・２１とクサビ５を装着した各部材が堅固に接合される。又、アダプター２・１５・１６・２１とクサビ５部にズレが生じないように、クサビ５部の支柱１上部にズレ止め用のロックボルト１２をねじ込み固定される。
【符号の説明】
【０００９】  １  支柱・支脚        （共通）
２  角部アダプター    （共通）
３  ホゾ              （共通）
４  ホゾ穴            （共通）
５  クサビ（楔）      （共通）
６  横梁              （整理棚）
７  縦梁              （整理棚）
８  縦桟              （整理棚）
９  横桟              （整理棚）
１０  踏板              （脚立）
１１  キャスター        （整理棚）
１２  ロックボルト      （足場）
１３  横桟              （足場）
１４  縦桟              （足場）
１５  縦桟部アダプター  （足場）
１６  斜角部アダプター  （脚立）
１７  クサビスペース    （足場）
１８  筋交い            （足場）
１９  開閉軸            （脚立）
２０  自在ベース        （脚立）
２１  Ｔ字部アダプター  （足場）
【図１】
0003162694.tif 000003
【図２】
0003162694.tif 000004
【図３】
0003162694.tif 000005
【図４】
0003162694.tif 000006
【図５】
0003162694.tif 000007
【図６】
0003162694.tif 000008
【図７】
0003162694.tif 000009
【図８】
0003162694.tif 000010
【図９】
0003162694.tif 000011
【図１０】
0003162694.tif 000012
【図１１】
0003162694.tif 000013
【図１２】
0003162694.tif 000014
【図１３】
0003162694.tif 000015
【図１４】
0003162694.tif 000016
【図１５】
0003162694.tif 000017
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、組み立て構造物の接合に関するものである、支柱・支脚１と構造物の梁部の材質は鋼材・木材とし、支柱・支脚１は四角形状のものを用い、構造物の梁部は四角形状・円形状のものを使用する、接合用アダプター部２の材質は鋼材である、支柱・支脚１の側面には上下所要間隔おきにホゾ穴４を設けておき、支柱・支脚１両端のいずれかの方向から、内側にホゾを設けた接合用アダプター２・１５・１６・２１を通し込み、アダプター内側のホゾを支柱・支脚１側面のホゾ穴４に挿入し装着する、装着することにより、ホゾ部３・４の対面側のアダプター内側に隙間が生じ、クサビ挿入スペースとなる、接合する構造物の梁両端に溶接されたクサビ部５を、クサビスペースに挿入し打ち込む、それによりホゾ部３がホゾ穴部４に強く引き寄せられ、その接合用アダプター２・１５・１６・２１の作用により、支柱・支脚１とクサビ５を装着した構造物の梁部が堅固に接合されるホゾ穴接合具。
【手続補正書】
【提出日】平成22年4月24日(2010.4.24)
【手続補正１】
【補正対象書類名】実用新案登録請求の範囲
【補正対象項目名】全文
【補正方法】変更
【補正の内容】
【実用新案登録請求の範囲】
【請求項１】
本考案は、棚・足場・鉄骨構造体などを組み立て接合する場合の考案である、材質は鋼材とし形状は四角形としている、接合する支柱・支脚１に四角形・多角形・円形等のホゾ穴４を上下所要間隔おきに設け、内側に同形状のホゾを装着固定した接合用アダプター２・１５・１６・２１のホゾ部３・４を挿入し、ホゾ部３・４の対面側のアダプター内側のクサビ用スペースに、接合する梁・桁の両端に装着固定したクサビ部を挿入し接合する、支柱・支脚１にホゾ穴４を有することを条件とした、接合用アダプター２・１５・１６・２１の内側にホゾ３を有する特徴をもつホゾ・クサビ式アダプター。
【請求項２】
四角形である接合用アダプター２・１５・１６・２１の内側寸法（縦・横）を、支柱・支脚１の外側寸法（縦・横）にホゾの長さを加えた寸法とし、ホゾ部の対面側にホゾの長さと同幅員のクサビ用スペースを有することを特徴とする［請求項１］に記載するホゾ・クサビ式アダプター。
【請求項３】
支柱・支脚１に装着した接合用アダプター２・１５・１６・２１を固定させるため、接合する梁・桁材の両端に装着するためのクサビを有することを特徴とする［請求項１］に記載するホゾ・クサビ式アダプター。
【請求項４】
接合用アダプター２・１５・１６・２１のクサビ用スペースにクサビ部５を挿入装着することにより、接合用アダプター２・１５・１６・２１の内側に装着したホゾ部３が、支柱・支脚１に設けられたホゾ穴部４に、必然的に引き寄せられ固定接合される作用的特徴をもつ［請求項１］に記載するホゾ・クサビ式アダプター。
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
棚・足場・鉄骨構造体などを組み立て接合する場合に用いるホゾ・クサビ式アダプターであって、支柱・支脚１と接合用アダプター２・１５・１６・２１とからなり、支柱・支脚１は四角形・多角形・円形等のホゾ穴４を上下所要間隔おきに設けたものであり、接合用アダプター２・１５・１６・２１の材質は鋼材とし形状は四角形としており、支柱・支脚１と接合する内側にホゾ穴４と同形状のホゾ３を装着固定したものであり、ホゾ穴４にホゾ３を挿入したホゾ部３・４の対面側のアダプター内側に、接合する梁・桁の両端に装着固定したクサビ部を挿入し接合するためのクサビ用スペースを設けたことを特徴とするホゾ・クサビ式アダプター。
【請求項２】
四角形である接合用アダプター２・１５・１６・２１の内側寸法（縦・横）を、支柱・支脚１の外側寸法（縦・横）にホゾの長さを加えた寸法とし、ホゾ部の対面側にホゾの長さと同幅員のクサビ用スペースを有することを特徴とする請求項１に記載するホゾ・クサビ式アダプター。
【請求項３】
支柱・支脚１に装着した接合用アダプター２・１５・１６・２１を固定させるため、接合する梁・桁材の両端に装着するためのクサビを有することを特徴とする請求項１に記載するホゾ・クサビ式アダプター。
【請求項４】
接合用アダプター２・１５・１６・２１のクサビ用スペースにクサビ部５を挿入装着することにより、接合用アダプター２・１５・１６・２１の内側に装着したホゾ部３が、支柱・支脚１に設けられたホゾ穴部４に、必然的に引き寄せられ固定接合される作用的特徴をもつ請求項１に記載するホゾ・クサビ式アダプター。
【手続補正２】
【補正対象書類名】明細書
【補正対象項目名】全文
【補正方法】変更
【補正の内容】
【考案の詳細な説明】
【技術分野】
【０００１】  本考案は、組み立て棚・組み立て脚立・組み立て梯子・仮設足場・仮設防護柵・仮設ハウス・イベント会場の設営・仮設橋梁に至るまでの鋼製構築物等の接合を、「ホゾ穴式接合方式」を用いて組立作業を迅速・簡素化し、現場等における作業効率と安全性を高め、解体撤去時においても迅速な作業を可能とし、且つ、資材のコンパクト化を図り持ち運びの利便性を高め、労力費の削減と運搬コストの軽減をも可能とする技術である。
【背景技術】
【０００２】  従来から、仮設の鋼構築物等の組み立て接合においては、ネジ・ボルト・溶接等の接合方法が主流であり、組み立て作業及び解体撤去作業に手間がかかる場合が多々見られる。又、仮設足場・仮設防護柵等の単管を使用する構築物においては、自在クランプ等の接合金具を使用し、多数箇所をネジ止め固定するので作業手間がかかり、振動等によるネジの緩みでズレが生じる等の危険性は否めない。ネジ・ボルト・溶接等で接合される仮設構築物等は、組み立て・解体撤去作業に時間がかかり、資材のコンパクト化が容易では無い。
【先行技術文献】
【特許文献】
【０００３】
【特許文献１】  無し
【考案の概要】
【考案が解決しようとする課題】
【０００４】  本考案は、組み立て棚・組み立て脚立・組み立て梯子・仮設足場・仮設防護柵・仮設ハウス・イベント会場の設営・仮設橋梁にいたるまでの広範囲にわたり、鋼構築物の組み立て作業を簡素化し、労力費を軽減させ、且つ、堅固な接合により安全性と利便性を高め、さらには、資材のコンパクト化を図り、運搬コストを軽減させようとするものである。又、地震時の振動等を考慮し、天災に対応可能な安全性の高い構築物の接合を課題とする。
【課題を解決するための手段】
【０００５】  本考案の材質は主に鋼材とし、支柱１・支脚１等は主に四角形鋼管等を使用する。支柱１・支脚１の側面には、事前に上下所要間隔おきにホゾ穴４を削孔し加工しておき、支柱１・支脚１の両端のいずれかの方向から、アダプター２・１５・１６・２１（内側に台形のホゾ３が付いている）を通し、ホゾ３を支柱１・支脚１のホゾ穴４に挿入し、仮クサビ（ゴム製）で仮固定する。ホゾ部３・４の対面側の、支柱１とアダプター２・１５・１６・２１の隙間（クサビスペース１７）に、クサビ５を装着した縦桟８・横桟９・踏板１０・棚板等を打ち込み装着することにより、ホゾ３がホゾ穴４に強く引き寄せられ、支柱１を軸にアダプター２・１５・１６・２１とクサビ５を装着した各部材が堅固に接合されるのである。又、地震時等の振動を想定し、アダプター２・１５・１６・２１とクサビ部５にズレが生じないように、クサビ部５の支柱１上部にズレ止め用のロックボルト１２をねじ込み固定する。「ホゾ穴接合方式」は、多種多様な構築物に使用可能であり、大小の構築物に拘わらず、その強度と支柱１・支脚１の形状寸法に対応した、各種アダプター２・１５・１６・２１を装着することにより広い範囲で活用可能なものである。又、支柱１・支脚１等の形状は、四角形に限らず、アダプター２・１５・１６・２１・クサビ部５・ホゾ部３・４の形状・寸法を変化させることにより、大小の円形及び多角形状の支柱１・支脚１にも対応可能な接合方式である。
【考案の効果】
【０００６】  従来より、ネジ・ボルト・溶接等でしか接合されていなかった鋼構築物であったが本考案の、ほぞ穴接合方式により、組み立てに要する作業時間が大幅に短縮され、工事費のコスト削減ができる。又、資材のコンパクト化により、持ち運び等の利便性を向上させ、運搬コストを軽減させるものであり、軽量構築物から重量構築物に至るまで、多種多様な構築物にも適用が可能である。
【図面の簡単な説明】
【０００７】
【図１】ホゾ穴接合方式による（整理棚）本体の立体図である。
【図２】ホゾ穴接合方式による（整理棚）棚板の平面図である。
【図３】ホゾ穴接合方式による（整理棚）接合部の断面図である。
【図４】ホゾ穴接合方式による（整理棚）角部の接合平面図である。
【図５】ホゾ穴接合方式による（脚立）本体の側面図である。
【図６】ホゾ穴接合方式による（脚立）踏板接合部の平面図である。
【図７】ホゾ穴接合方式による（脚立）踏板接合部の断面図である。
【図８】ホゾ穴接合方式による（仮設足場）本体の立体図である。
【図９】ホゾ穴接合方式による（仮設足場）角部の接合の断面図である。
【図１０】ホゾ穴接合方式による（仮設足場）縦桟の接合平面図である。
【図１１】ホゾ穴接合方式による（仮設足場）角部アダプターの立体図である。
【図１２】ホゾ穴接合方式による（脚立）斜角部アダプターの立体図である。
【図１３】ホゾ穴接合方式による（仮設足場）横桟部アダプターの立体図である。
【図１４】ホゾ穴接合方式による（仮設足場）四角部の接合平面図である。
【図１５】ホゾ穴接合方式による（仮設足場）Ｔ字部の接合平面図である。
【考案を実施するための形態】
【実施例】
【０００８】  支柱１・支脚１の両端のいずれかの方向から、アダプター２・１５・１６・２１（内側に台形のホゾ３が付いている）を通し、ホゾ３を支柱・支脚のホゾ穴４に挿入し、仮クサビ（ゴム製）で仮固定する。ホゾ部３・４の対面側の、支柱１とアダプター２・１５・１６・２１の隙間（クサビスペース１７）に、クサビ５を装着した縦桟８・横桟９・踏板１０・棚板等を打ち込むことにより、ホゾ３がホゾ穴４に強く引き寄せられ、支柱１を軸にアダプター２・１５・１６・２１とクサビ５を装着した各部材が堅固に接合される。又、アダプター２・１５・１６・２１とクサビ５部にズレが生じないように、クサビ５部の支柱１上部にズレ止め用のロックボルト１２をねじ込み固定される。
【符号の説明】
【０００９】  １  支柱・支脚        （共通）
２  角部アダプター    （共通）
３  ホゾ              （共通）
４  ホゾ穴            （共通）
５  クサビ（楔）      （共通）
６  横梁              （整理棚）
７  縦梁              （整理棚）
８  縦桟              （整理棚）
９  横桟              （整理棚）
１０  踏板              （脚立）
１１  キャスター        （整理棚）
１２  ロックボルト      （足場）
１３  横桟              （足場）
１４  縦桟              （足場）
１５  縦桟部アダプター  （足場）
１６  斜角部アダプター  （脚立）
１７  クサビスペース    （足場）
１８  筋交い            （足場）
１９  開閉軸            （脚立）
２０  自在ベース        （脚立）
２１  Ｔ字部アダプター  （足場）